(57)【特許請求の範囲】
【請求項１】
画像変換テーブルを用いて、入力画像データの濃度または色を、所望の濃度または色を生成する出力画像データに変換する画像処理方法において、
Ｎビットの特定画像データを含み、且つ、前記特定画像データを基準として、ｄ（＝２m）（Ｎ＞ｍ）のデータ間隔で設定したＮビットの入力画像データにおける（Ｎ−ｍ）ビットの上位桁データを、前記入力画像データに対して所望の濃度または色を生成する出力画像データに変換する画像変換テーブルを設定し、任意のＮビットの入力画像データより前記特定画像データのｍビットの下位桁データを差し引いたデータにおける（Ｎ−ｍ）ビットの上位桁データから、前記画像変換テーブルを用いて出力画像データを生成し、次いで、前記任意の入力画像データより前記特定画像データのｍビットの下位桁データを差し引いたデータのｍビットの下位桁データを用いて前記出力画像データの補間処理を行うことを特徴とする画像処理方法。
【請求項２】
請求項１記載の方法において、
前記特定画像データは、ハイライト設定点を特定する入力画像データであることを特徴とする画像処理方法。
【請求項３】
請求項１記載の方法において、
前記画像変換テーブルは、入力画像データＣ、Ｍ、Ｙの濃度または色を所望の濃度または色からなる出力画像データＣ、Ｍ、Ｙ、Ｋに変換する画像処理条件に従って設定されることを特徴とする画像処理方法。
【請求項４】
画像変換テーブルを用いて、入力画像データの濃度または色を、所望の濃度または色を生成する出力画像データに変換する画像処理装置において、
Ｎビットの特定画像データにおけるｍビット（Ｎ＞ｍ）の下位桁データを生成し、Ｎビットの入力画像データからｍビットの前記下位桁データを差し引く手段と、
前記入力画像データから前記下位桁データを差し引いたデータにおける（Ｎ−ｍ）ビットの上位桁データを出力画像データに変換する画像変換テーブルと、
前記出力画像データを、前記下位桁データが差し引かれた前記入力画像データのｍビットの下位桁データに基づいて補間処理する補間手段と、
を備え、前記画像変換テーブルは、Ｎビットの前記特定画像データを含み、且つ、前記特定画像データを基準として、ｄ（＝２m）（Ｎ＞ｍ）のデータ間隔で設定したＮビットの入力画像データにおける（Ｎ−ｍ）ビットの上位桁データを、前記入力画像データに対して所望の濃度または色を生成する出力画像データに変換するテーブルとして設定されることを特徴とする画像処理装置。
【発明の詳細な説明】
【０００１】
【発明の属する技術分野】
本発明は、入力画像データを所望の画像処理条件に従って設定された画像変換テーブルにより変換処理することで出力画像データを生成する画像処理方法および装置に関する。
【０００２】
【従来の技術】
ＤＴＰや印刷・製版等の分野において、スキャナによりカラー原稿を読み取ることで入力画像データを得、この入力画像データに対して所望の画像処理を施して出力画像データを生成した後、プリンタやＣＲＴ等の画像出力装置によりカラー画像を出力するようにしたカラー画像入出力システムが広範に用いられている。
【０００３】
この場合、カラー画像入出力システムには、画像処理条件をパラメータとする画像変換関数が設定されており、前記画像処理条件を設定することで画像変換関数を規定して画像変換テーブルを作成し、この画像変換テーブルを用いて前記入力画像データに所望の画像処理を施すようにしたものがある。ここで、画像処理条件としては、例えば、原稿画像の種類、入力画像データに対するハイライトやシャドーの設定濃度、カラーコレクションのための各色の修正係数等の条件を挙げることができる。
【０００４】
ところで、例えば、入力画像データをＣ、Ｍ、Ｙの８ビットデータとし、全ての入力画像データを変換することのできる画像変換テーブルを作成しようとすると、２５６3 のデータが必要となる。従って、画像変換テーブルを作成するために膨大な処理時間を要してしまう。そこで、通常、Ｃ、Ｍ、Ｙの入力画像データを０、８、１６、…、２４８とし、３２3 のデータに基づいて画像変換テーブルを作成し、この画像変換テーブルによって入力画像データを変換して出力画像データを生成した後、前記出力画像データを補間処理することで、最終的に８ビットの分解能を有する出力画像データを生成するようにしている。
【０００５】
しかしながら、このようにして出力画像データを生成した場合、高精度な画像変換関数に基づいて画像変換テーブルを作成したにも拘わらず、出力画像データに誤差の生じることがある。すなわち、カラー画像入出力システムにおいては、原画像の特定点の画像データを所望の濃度に設定したい場合があるが、その画像データに対応するデータが画像変換テーブルに設定されていない場合には、対応する出力画像データが補間処理によって生成されることになるため、補間による誤差が生じてしまう。特に、特定点が濃度の最も低いハイライト設定点の場合、人間の視覚がハイライトの画像の変動を敏感に認知するため、前記の誤差の影響が大きな問題となる。
【０００６】
【発明が解決しようとする課題】
本発明は、このような不具合を解消するためになされたものであって、所望の特定点の画像データにおける変換誤差をなくし、所望の画像処理条件に従って入力画像データを出力画像データに高精度に変換することのできる画像処理方法および装置を提供することを目的とする。
【０００７】
【課題を解決するための手段】
本発明では、画像変換テーブルを用いて、入力画像データの濃度または色を、所望の濃度または色を生成する出力画像データに変換する際、入力画像データが特定画像データである場合、画像変換テーブルが前記特定画像データを含み、且つ、前記特定データを基準として設定されているため、特定画像データに対する出力画像データを正確に生成することができる。すなわち、補間処理は、特定画像データの下位桁データを差し引いた入力画像データに対して施されることになるが、この場合、入力画像データが特定画像データであるため、結果的に補間処理は行われないことになる。従って、特定画像データを変換して得られる出力画像データは、補間処理されることのない正確なものとなる。特に、特定画像データがハイライト設定点の場合、人間の視覚に敏感なハイライト設定点における正確な画像変換処理が実現されることになる。
【０００８】
一方、下位桁データが特定画像データの下位桁データに一致しない入力画像データに対しては、入力画像データから特定画像データの下位桁データが差し引かれた入力画像データの上位桁データが画像変換テーブルによって変換処理された後、前記特定画像データの下位桁データが差し引かれた入力画像データの下位桁データに基づき補間処理されることになる。
【０００９】
【発明の実施の形態】
図１は、本実施形態の画像処理方法および装置が適用されるカラー画像処理装置１０を示す。このカラー画像処理装置１０は、キャリブレーション回路１２、画像処理回路１４、補間処理回路１６、ＵＳＭ回路１８、ＬＤ制御データ変換回路２０を備え、スキャナ等から供給される画像データＲ、Ｇ、Ｂを画像処理条件に従ってレーザダイオード（ＬＤ）制御データに変換し、記録媒体上にカラー画像を形成するものである。
【００１０】
キャリブレーション回路１２は、画像データＲ、Ｇ、Ｂの各色毎に補正テーブルを備え、この補正テーブルにより前記画像データＲ、Ｇ、Ｂを濃度データＣ、Ｍ、Ｙに変換する。なお、補正テーブルは、例えば、キャリブレーションチャートを読み取って得られた濃度データＣ、Ｍ、Ｙが前記キャリブレーションチャートの指定濃度となるように設定されている。
【００１１】
画像処理回路１４は、指定された画像処理条件に従い、例えば、ハイライト、シャドーの濃度設定、各色の階調変換、グレーバランスの調整、カラーコレクション、ＵＣＲ（Under Color Removal ）処理による濃度データＫの生成等の処理を画像変換テーブルを用いて行う。従って、濃度データＣ、Ｍ、Ｙは、画像処理回路１４において、後述するようにして設定される前記画像変換テーブルにより所望の網％データＣ、Ｍ、Ｙ、Ｋに変換される。なお、画像処理回路１４は、図２に示すように、８ビットの濃度データＣ、Ｍ、Ｙの中、上位５ビット（５ＭＳＢ）の入力画像データを画像変換テーブルを用いて変換処理することで、出力画像データである網％データＣ、Ｍ、Ｙ、Ｋを生成する。
【００１２】
補間処理回路１６は、画像処理回路１４からの網％データＣ、Ｍ、Ｙ、Ｋの補間処理を行う。すなわち、８ビットの濃度データＣ、Ｍ、Ｙの中、下位３ビット（３ＬＳＢ）の入力画像データに基づき、画像処理回路１４からの網％データＣ、Ｍ、Ｙ、Ｋに対する補間処理を行う。このような処理を行うことにより、画像変換テーブルの生成処理および画像処理回路１４での処理負担を軽減することができる。
【００１３】
ＵＳＭ回路１８は、濃度データＣ、Ｍ、ＹからＵＳＭ（Unsharpness Musk）データを生成し、補間処理回路１６からの出力である網％データＣ、Ｍ、Ｙ、Ｋに加算することで、エッジ強調処理を行う。
【００１４】
ＬＤ制御データ変換回路２０は、エッジ強調された網％データＣ、Ｍ、Ｙ、ＫをＬＤ制御データに変換する。この場合、ＬＤ制御データは、レーザダイオードを制御して記録媒体にＣ、Ｍ、Ｙ、Ｋの各色に対応する画像を形成する。
【００１５】
一方、キャリブレーション回路１２の出力に対しては、下位桁データ切出回路２２からの出力が供給される。下位桁データ切出回路２２は、図２に示すように、Ｎビットの特定画像データＣ0 、Ｍ0 、Ｙ0 の中、ｍビット（Ｎ＞ｍ）の下位桁データＣ0LSB、Ｍ0LSB、Ｙ0LSBを切り出して出力する。キャリブレーション回路１２から出力されるＮビットの濃度データＣ、Ｍ、Ｙは、これらの下位桁データＣ0LSB、Ｍ0LSB、Ｙ0LSBが差し引かれ、その上位（Ｎ−ｍ）ビットのデータが画像処理回路１４に供給される一方、下位ｍビットのデータが補間処理回路１６に供給される。
【００１６】
画像処理回路１４には、画像変換テーブル生成回路２４において生成された画像変換テーブルＴｊ（ｊ＝Ｃ、Ｍ、Ｙ、Ｋ）が供給される。この場合、画像変換テーブル生成回路２４は、パラメトリックに記述される複数の画像変換関数をキーボード、マウス等の選択指示手段２８によって選択し、あるいは、設定することで画像変換テーブルＴｊを生成する。
【００１７】
ここで、画像変換テーブル生成回路２４は、図３に示すように、ＨＬ／ＳＨ濃度設定部２９、トーンカーブ設定部３１、信号並べ替え演算部３３、ＵＣＲ演算部３５、Ｋ版生成部３７、網％グレーバランス設定部３９、網％設定部４１およびカラーコレクション部４３から構成されており、選択指示手段２８を用いてオペレータにより指示された指示データａ１〜ａ７とテスト濃度データＣ、Ｍ、Ｙとに基づき画像変換テーブルＴｊを生成する。
【００１８】
ＨＬ／ＳＨ濃度設定部２９は、入力画像データである濃度データＣ、Ｍ、Ｙのハイライト（ＨＬ）設定点およびシャドー（ＳＨ）設定点の濃度を指示データａ１の濃度設定値により正規化する。
【００１９】
トーンカーブ設定部３１は、指示データａ２によって画像変換関数の１つである基本トーンカーブを選択し、あるいは、指示データａ２によって指示されたカーブ修正係数により基本トーンカーブを修正することによりトーンカーブを設定し、この設定されたトーンカーブに従って、ＨＬ／ＳＨ濃度設定部２９により正規化された濃度データＣ、Ｍ、Ｙを濃度データＣを基準として階調変換する。
【００２０】
信号並べ替え演算部３３は、ＨＬ／ＳＨ濃度設定部２９からの濃度データＣ、Ｍ、Ｙの各成分の大小を比較することで、最大値ｍａｘと最小値ｍｉｎとを求める。
【００２１】
ＵＣＲ演算部３５は、信号並べ替え演算部３３からの最大値ｍａｘおよび最小値ｍｉｎと、選択指示手段２８からの指示データａ３に基づくグレー幅コントロールデータおよびＵＣＲ強度データとに従い、各濃度データＣ、Ｍ、Ｙに対するＵＣＲ量を算出する。このＵＣＲ量は、ＵＣＲ処理前の濃度データＣ、Ｍ、Ｙから減算される。なお、ＵＣＡ（Under Color Addition）処理を行う場合には、前記ＵＣＲ強度データを負の値として設定し、得られたＵＣＡ量を濃度データＣ、Ｍ、Ｙに加算することになる。
【００２２】
Ｋ版生成部３７は、信号並べ替え演算部３３からの最大値ｍａｘおよび最小値ｍｉｎと、選択指示手段２８からの指示データａ４に基づくＫ版グレー幅コントロールデータおよびＫ版生成カーブ修正係数データとに従い、濃度データＫを算出する。
【００２３】
網％グレーバランス設定部３９は、選択指示手段２８からの指示データａ５に基づくグレーバランスデータに従い、等量の濃度データＣ、Ｍ、Ｙをグレーとすることのできる網％に比例した濃度データＣ、Ｍ、Ｙに変換する。
【００２４】
網％設定部４１は、選択指示手段２８からの指示データａ６に基づくハイライトおよびシャドーの網％に従い、濃度データＣ、Ｍ、Ｙ、Ｋを網％データに変換する。
【００２５】
カラーコレクション部４３は、ＨＬ／ＳＨ濃度設定部２９からの濃度データＣ、Ｍ、Ｙから色相、明度および彩度を求め、選択指示手段２８の指示データａ７に基づくコレクション係数に従い、各濃度データＣ、Ｍ、Ｙ、Ｋの修正量ΔＣ、ΔＭ、ΔＹ、ΔＫを求め、網％グレーバランス設定部３９からの濃度データＣ、Ｍ、Ｙ、Ｋに加算する。
【００２６】
本実施形態のカラー画像処理装置１０は、基本的には以上のように構成されるものであり、次に、このカラー画像処理装置１０による画像処理方法について説明する。
【００２７】
先ず、画像変換テーブル生成回路２４において、画像変換テーブルＴｊを生成する方法について説明する。
【００２８】
選択指示手段２８を用いてオペレータが指示データａ１〜ａ７を指示することにより、ＨＬ／ＳＨ濃度設定部２９、トーンカーブ設定部３１、ＵＣＲ演算部３５、Ｋ版生成部３７、網％グレーバランス設定部３９、網％設定部４１、カラーコレクション部４３に所定の画像変換関数が設定される。次いで、テスト濃度データＣ、Ｍ、Ｙを生成して画像変換テーブル生成回路２４に供給し、得られた網％データＣ、Ｍ、Ｙ、Ｋと対応するテスト濃度データＣ、Ｍ、Ｙとの関係から、画像変換テーブルＴｊ（Ｃ，Ｍ，Ｙ）（ｊ＝Ｃ、Ｍ、Ｙ、Ｋ）を設定する。
【００２９】
ここで、テスト濃度データＣ、Ｍ、Ｙは、所望の特定画像データＣ0 、Ｍ0 、Ｙ0 を基準としてｄ（＝２m ）刻みで変化させたＮ（Ｎ＞ｍ）ビットのデータとする。特定画像データＣ0 、Ｍ0 、Ｙ0 としては、任意の濃度データ、例えば、原画像のハイライト設定点とすることができる。この場合、テスト濃度データＣ、Ｍ、Ｙは、Ｎビットの特定画像データＣ0 、Ｍ0 、Ｙ0 の中、ｍビットの下位桁データをＣ0LSB、Ｍ0LSB、Ｙ0LSBとして、
Ｃ＝ｄ・ｎｃ＋Ｃ0LSB（ｎｃ＝０、１、…、３１）
Ｍ＝ｄ・ｎｍ＋Ｍ0LSB（ｎｍ＝０、１、…、３１）
Ｙ＝ｄ・ｎｙ＋Ｙ0LSB（ｎｙ＝０、１、…、３１）
と設定される。このように設定することにより、特定画像データＣ0 、Ｍ0 、Ｙ0 を含むテスト濃度データＣ、Ｍ、Ｙを得ることができる。図４は、特定画像データＣ0 、Ｍ0 、Ｙ0 を基準データとして格子点上に設定したテスト濃度データＣ、Ｍ、Ｙの関係を表したものである。なお、例えば、ｄ＝８、特定画像データＣ0 、Ｍ0 、Ｙ0 をハイライト設定点として１２、１３、１４とすると、ｎｃ＝ｎｍ＝ｎｙ＝１、Ｃ0LSB＝４、Ｍ0LSB＝５、Ｙ0LSB＝６である。
【００３０】
そこで、前記のように設定されたテスト濃度データＣ、Ｍ、Ｙを用いて、画像変換テーブル生成回路２４において、対応する網％データＣ、Ｍ、Ｙ、Ｋを求め、この関係を入力画像データ（Ｃ−Ｃ0LSB）、（Ｍ−Ｍ0LSB）、（Ｙ−Ｙ0LSB）に対する出力画像データＣ、Ｍ、Ｙ、Ｋの関係である画像変換テーブルＴｊ（Ｃ，Ｍ，Ｙ）（ｊ＝Ｃ、Ｍ、Ｙ、Ｋ）として画像処理回路１４に設定する。
【００３１】
次に、任意の画像データＲ、Ｇ、Ｂが供給された場合の画像処理について説明する。
【００３２】
画像データＲ、Ｇ、Ｂは、キャリブレーション回路１２において濃度データＣ、Ｍ、Ｙに変換される。この濃度データＣ、Ｍ、Ｙは、ＵＳＭ回路１８に供給され、補間処理回路１６からの出力である網％データＣ、Ｍ、Ｙ、Ｋに対するエッジ強調のためのＵＳＭデータが生成される。
【００３３】
また、キャリブレーション回路１２から出力された濃度データＣ、Ｍ、Ｙは、下位桁データ切出回路２２から供給される特定画像データＣ0 、Ｍ0 、Ｙ0 の下位桁データＣ0LSB、Ｍ0LSB、Ｙ0LSBによって下位桁データが差し引かれた後、その（Ｎ−ｍ）ビットの上位桁データが画像処理回路１４に供給される一方、ｍビットの下位桁データが補間処理回路１６に供給される。そして、画像処理回路１４において、（Ｎ−ｍ）ビットの前記上位桁データが画像変換テーブルによって画像変換され、補間処理回路１６において、ｍビットの前記下位桁データにより画像処理回路１４からの出力画像データが補間処理される。
【００３４】
次に、図５に基づき、キャリブレーション回路１２から画像処理回路１４および補間処理回路１６に至るデータ処理について詳細に説明する。
【００３５】
キャリブレーション回路１２からの出力である濃度データＣ、Ｍ、ＹをＮビットの濃度データＸとし、特定画像データＣ0 、Ｍ0 、Ｙ0 をハイライト設定点データＸ0 とした場合、下位桁データ切出回路２２は、ハイライト設定点データＸ0 の下位ｍビットの下位桁データＸ0LSBを切り出す。この下位桁データＸ0LSBが濃度データＸから差し引かれることにより、Ｎビットの濃度データ（Ｘ−Ｘ0LSB）が生成される。そして、前記濃度データ（Ｘ−Ｘ0LSB）の上位（Ｎ−ｍ）ビットのデータ（Ｘ−Ｘ0LSB）MSB が画像処理回路１４に供給され、下位ｍビットのデータ（Ｘ−Ｘ0LSB）LSB が補間処理回路１６に供給される。
【００３６】
ここで、キャリブレーション回路１２から出力される濃度データＸがハイライト設定点データＸ0 である場合、画像処理回路１４に供給される上位（Ｎ−ｍ）ビットのデータ（Ｘ−Ｘ0LSB）MSB は、（Ｘ0 −Ｘ0LSB）MSB となる。一方、画像処理回路１４には、このデータ（Ｘ0 −Ｘ0LSB）MSB に対してハイライト設定点データＸ0 の画像変換テーブルが設定されている。従って、画像処理回路１４からは、ハイライト設定点データＸ0 に対して正確に求めれられた網％データＸ′（＝Ｃ、Ｍ、Ｙ、Ｋ）が出力される。また、補間処理回路１６に供給される下位ｍビットのデータ（Ｘ0 −Ｘ0LSB）LSB は、０となるため、このデータに基づいて補間処理が施されることがない。この結果、濃度画像データＸがハイライト設定点データＸ0 の場合には、補間による誤差のない網％データＸ′が得られることになる。
【００３７】
なお、濃度データＸが図４に示す格子点上のデータである場合においても、補間処理されることなく、同様に正確な網％データＸ′を得ることができる。
【００３８】
一方、濃度データＸが図４に示す格子点上にない場合には、画像処理回路１４において、上位（Ｎ−ｍ）ビットのデータ（Ｘ0 −Ｘ0LSB）MSB に基づき画像変換テーブルＴｊにより網％データが生成される一方、補間処理回路１６において、下位ｍビットのデータ（Ｘ−Ｘ0LSB）LSB により前記網％データが補間処理されることで、網％データＸ′が生成される。
【００３９】
次に、補間処理回路１６における補間処理について図６に基づき説明する。この場合、画像処理回路１４に入力される上位（Ｎ−ｍ）ビットのデータ（Ｘ0 −Ｘ0LSB）MSB から得られる網％データをＤ０とし、前記上位（Ｎ−ｍ）ビットのデータ（Ｘ0 −Ｘ0LSB）MSB を構成する上位（Ｎ−ｍ）ビットの濃度データＣ、Ｍ、Ｙを夫々１ずつ増加させた濃度データから画像処理回路１４によって得られる網％データをＤ１〜Ｄ７とすると、補間処理によって得られる網％データＱは、補間処理回路１６に入力される下位ｍビットのデータ（Ｘ−Ｘ0LSB）LSB によって決定される重み付け係数Ｋ０〜Ｋ７を用いて、
Ｑ＝ΣＫｉ・Ｄｉ  （但し、ｉ＝０、１、…、７）
として求めることができる。なお、存在しない網％データＤ１〜Ｄ７に対しては、それに隣接する網％データを用いて補間処理を行うようにすればよい。
【００４０】
ここで、補間処理方法としては、網％データＤ０〜Ｄ７の全てに重み付けを行う８点補間方式、網％データＤ１〜Ｄ６から４点を選択して重み付けを行う６点補間方式、網％データＤ１〜Ｄ６から２点を選択して重み付けを行う４点補間方式等がある。
【００４１】
８点補間方式の場合、網％データＣ、Ｍ、Ｙの下位ｍビットのデータをＣLSB 、ＭLSB 、ＹLSB として、重み付け係数Ｋ０〜Ｋ７は、
Ｋ０＝（１−Ｙｒ）・（１−Ｍｒ）・（１−Ｃｒ）
Ｋ１＝（１−Ｙｒ）・（１−Ｍｒ）・Ｃｒ
Ｋ２＝（１−Ｙｒ）・Ｍｒ・（１−Ｃｒ）
Ｋ３＝（１−Ｙｒ）・Ｍｒ・Ｃｒ
Ｋ４＝Ｙｒ・（１−Ｍｒ）・（１−Ｃｒ）
Ｋ５＝Ｙｒ・（１−Ｍｒ）・Ｃｒ
Ｋ６＝Ｙｒ・Ｍｒ・（１−Ｃｒ）
Ｋ７＝Ｙｒ・Ｍｒ・Ｃｒ
と設定される。なお、
Ｃｒ＝ＣLSB ／２m 
Ｍｒ＝ＭLSB ／２m 
Ｙｒ＝ＹLSB ／２m 
である。
【００４２】
また、６点補間方式の場合、図６に示すように構成される網％データＤ０〜Ｄ７の格子を、図７〜図９に示すように、Ｙ方向、Ｍ方向、あるいは、Ｃ方向に２分割し、補間点である網％データＱがどの領域に含まれるのかを判定し、対応する重み付け係数の計算式を選択する。
【００４３】
例えば、Ｙ方向に分割した図７の場合、ＣLSB ＞ＭLSB であれば、
Ｄａ＝Ｄ１
Ｄｂ＝Ｄ５
ＶL ＝ＣLSB ／２m 
ＶS ＝ＭLSB ／２m 
ＣLSB ＜ＭLSB であれば、
Ｄａ＝Ｄ２
Ｄｂ＝Ｄ６
ＶL ＝ＭLSB ／２m 
ＶS ＝ＣLSB ／２m 
として、
Ｋ０＝（１−Ｙｒ）・（１−ＶL ）
Ｋ３＝（１−Ｙｒ）・ＶS 
Ｋ４＝Ｙｒ・（１−ＶL ）
Ｋ７＝Ｙｒ・ＶS 
Ｋａ＝（１−Ｙｒ）・（ＶL −ＶS ）
Ｋｂ＝Ｙｒ・（ＶL −ＶS ）
と設定され、網％データＱは、
Ｑ＝Ｋ０・Ｄ０＋Ｋ３・Ｄ３＋Ｋ４・Ｄ４＋Ｋ７・Ｄ７＋Ｋａ・Ｄａ
＋Ｋｂ・Ｄｂ
として求められる。
【００４４】
さらに、４点補間方式の場合、図６に示すように構成される網％データＤ０〜Ｄ７の格子を図１０に示すように６分割し、補間点である網％データＱがどの領域に含まれるのかを判定し、対応する重み付け係数の計算式を選択する。
【００４５】
例えば、ＹLSB ＜ＭLSB ＜ＣLSB であれば、
Ｄａ＝Ｄ１
Ｄｂ＝Ｄ３
ＶL ＝ＣLSB ／２m 
ＶM ＝ＭLSB ／２m 
ＶS ＝ＹLSB ／２m 
ＭLSB ＜ＹLSB ＜ＣLSB であれば、
Ｄａ＝Ｄ１
Ｄｂ＝Ｄ５
ＶL ＝ＣLSB ／２m 
ＶM ＝ＹLSB ／２m 
ＶS ＝ＭLSB ／２m 
ＹLSB ＜ＣLSB ＜ＭLSB であれば、
Ｄａ＝Ｄ２
Ｄｂ＝Ｄ３
ＶL ＝ＭLSB ／２m 
ＶM ＝ＣLSB ／２m 
ＶS ＝ＹLSB ／２m 
ＣLSB ＜ＹLSB ＜ＭLSB であれば、
Ｄａ＝Ｄ２
Ｄｂ＝Ｄ６
ＶL ＝ＭLSB ／２m 
ＶM ＝ＹLSB ／２m 
ＶS ＝ＣLSB ／２m 
ＭLSB ＜ＣLSB ＜ＹLSB であれば、
Ｄａ＝Ｄ４
Ｄｂ＝Ｄ５
ＶL ＝ＹLSB ／２m 
ＶM ＝ＣLSB ／２m 
ＶS ＝ＭLSB ／２m 
ＣLSB ＜ＭLSB ＜ＹLSB であれば、
Ｄａ＝Ｄ４
Ｄｂ＝Ｄ６
ＶL ＝ＹLSB ／２m 
ＶM ＝ＭLSB ／２m 
ＶS ＝ＣLSB ／２m 
として、
Ｋ０＝１−ＶL 
Ｋ７＝ＶS 
Ｋａ＝ＶL −ＶM 
Ｋｂ＝ＶM −ＶS 
と設定され、網％データＱは、
Ｑ＝Ｋ０・Ｄ０＋Ｋ７・Ｄ７＋Ｋａ・Ｄａ＋Ｋｂ・Ｄｂ
として求められる。
【００４６】
以上のようにして補間処理された網％データＣ、Ｍ、Ｙ、Ｋは、ＵＳＭ回路１８からのエッジ強調のためのＵＳＭデータが加算された後、ＬＤ制御データ変換回路２０においてＬＤ制御データに変換される。このＬＤ制御データに基づき、記録媒体上に所望の画像が形成される。
【００４７】
【発明の効果】
以上のように、本発明では、画像変換テーブルを所望の特定点の画像データを基準として設定しているため、前記所望の特定点においては、変換後の画像データに対して補間処理が施されることがなく、従って、補間処理による変換誤差の生じることがない。この結果、所望の特定点において補間処理による誤差をなくし、所望の画像処理条件に従って入力画像データを出力画像データに高精度に変換することができる。
【図面の簡単な説明】
【図１】本発明の画像処理方法および装置が適用されるカラー画像処理装置の構成ブロック図である。
【図２】図１に示す下位桁データ切出回路、画像処理回路および補間処理回路の詳細説明図である。
【図３】図１に示す画像変換テーブル生成回路の詳細構成ブロック図である。
【図４】図１に示す画像処理回路に設定される画像変換テーブルの説明図である。
【図５】本実施形態の画像処理方法の説明図である。
【図６】補間処理方法の説明図である。
【図７】補間処理方法の説明図である。
【図８】補間処理方法の説明図である。
【図９】補間処理方法の説明図である。
【図１０】補間処理方法の説明図である。
【符号の説明】
１０…カラー画像処理装置              １２…キャリブレーション回路
１４…画像処理回路                    １６…補間処理回路
１８…ＵＳＭ回路                      ２０…ＬＤ制御データ変換回路
２２…下位桁データ切出回路            ２４…画像変換テーブル生成回路
２８…選択指示手段
【図１】
0004221072.tif 000002
【図２】
0004221072.tif 000003
【図３】
0004221072.tif 000004
【図４】
0004221072.tif 000005
【図５】
0004221072.tif 000006
【図６】
0004221072.tif 000007
【図７】
0004221072.tif 000008
【図８】
0004221072.tif 000009
【図９】
0004221072.tif 000010
【図１０】
0004221072.tif 000011